(57)【要約】【課題】外観を一般的なメガネに見せることができる眼鏡型映像表示装置を提供する。【解決手段】眼鏡型映像表示装置１は、映像を表示する表示ユニット２９と、表示ユニット２９とメガネレンズ２３ｂとの位置関係を調整する第１の位置調整部４０と、メガネレンズ２３ｂの前方の空間と第１の位置調整部４０との間に設けられ、前方の空間から第１の位置調整部４０への視界を遮る遮蔽部材とを備える。【選択図】図６
2019004265.tif 000002
【特許請求の範囲】
【請求項１】
映像を表示する表示ユニットと、
前記表示ユニットとレンズとの位置関係を調整する第１の位置調整部と、
前記レンズの前方の空間と前記第１の位置調整部との間に設けられ、前記前方の空間から前記第１の位置調整部への視界を遮る第１の遮蔽部材と、
を有することを特徴とする眼鏡型映像表示装置。
【請求項２】
前記レンズの周囲に設けられた第１固定部材と、
前記第１固定部材の周囲に設けられ前記表示ユニットを備える第２固定部材と、を更に有し、
前記第１の遮蔽部材は、前記第２固定部材であることを特徴とする請求項１に記載の眼鏡型映像表示装置。
【請求項３】
前記第１の位置調整部は、前記第２固定部材の背面に配置され、前記第２固定部材を所定方向にスライドさせるレール部を有することを特徴とする請求項２に記載の眼鏡型映像表示装置。
【請求項４】
前記レール部は、前記第２固定部材の背面に複数配置されることを特徴とする請求項３に記載の眼鏡型映像表示装置。
【請求項５】
前記第１の位置調整部は、前記レール部に連結され、前記第２固定部材の角度調整を行うヒンジ部を有することを特徴とする請求項３に記載の眼鏡型映像表示装置。
【請求項６】
前記レンズの周囲に設けられ、前記表示ユニットを備えた第１固定部材を更に有し、
前記第１の遮蔽部材は、前記第１固定部材であることを特徴とする請求項１に記載の眼鏡型映像表示装置。
【請求項７】
固定部と、
一端が前記第１固定部材に接続され、他端が前記固定部に接続された前記固定部の位置を調整する第２の位置調整部と、を更に有し、
前記第１固定部材は、前記前方の空間から前記第２の位置調整部への視界を遮る第２の遮蔽部材であることを特徴とする請求項１に記載の眼鏡型映像表示装置。
【請求項８】
前記第２の位置調整部は、前記第１固定部材に接続され、先端部に溝部を有するアームと、前記アームの前記溝部に嵌合する第１爪部と、前記第１爪部を前記固定部に取り付ける回動軸と備えることを特徴とする請求項７に記載の眼鏡型映像表示装置。
【請求項９】
前記第１の位置調整部は、ヒンジ部を有し、
前記ヒンジ部は、前記レンズに対して前記第２固定部材の所定方向の角度を調整することを特徴とする請求項２に記載の眼鏡型映像表示装置。
【請求項１０】
前記第１の遮蔽部材は、前記レンズとの間に生じる隙間を隠すカバー部材を有することを特徴とする請求項１に記載の眼鏡型映像表示装置。
【請求項１１】
前記カバー部材は、前記レンズの形状と同一の形状であることを特徴とする請求項１０に記載の眼鏡型映像表示装置。
【請求項１２】
前記レンズの周囲に設けられた第１固定部材と、
前記第１固定部材の周囲に設けられ前記表示ユニットを備える第２固定部材と、を有し、
前記カバー部材は、前記第２固定部材の下部に設けられ、前記第１固定部材が隠れる長さを有することを特徴とする請求項１０に記載の眼鏡型映像表示装置。
【請求項１３】
前記表示ユニットをレンズの長手方向に対して位置を調整する第３の位置調整部を有し、
前記第２固定部材は、前記前方の空間から前記第３の位置調整部への視界を遮る第３の遮蔽部材であることを特徴とする請求項２に記載の眼鏡型映像表示装置。
【発明の詳細な説明】
【技術分野】
【０００１】
本発明は、眼鏡型映像表示装置に関する。
【背景技術】
【０００２】
近年、頭部に装着してユーザの視界内に配置した表示ユニットに映像を表示するヘッドマウントディスプレイが知られている。このようなヘッドマウントディスプレイとして、眼鏡型あるいは帽子型のヘッドマウントディスプレイが存在する。
【０００３】
例えば、特開２０１２−１８２６００号公報には、画像情報に応じた画像をユーザの目の網膜に表示する表示ユニットと、表示ユニットを制御する制御部とが眼鏡型フレームに配設されたヘッドマウントディスプレイが開示されている。
【先行技術文献】
【特許文献】
【０００４】
【特許文献１】特開２０１２−１８２６００号公報
【発明の概要】
【発明が解決しようとする課題】
【０００５】
しかしながら、従来のヘッドマウントディスプレイは、映像を表示する表示ユニットがメガネレンズの前面に配置されていたり、表示ユニットを制御する制御部がメガネフレームのテンプルに装着されていたりして、一般的なメガネと比較して、見た目が不自然であるという問題があった。すなわち、従来のヘッドマウントディスプレイは、一般的なメガネに様々な付属品が付いており、一般的なメガネの形状を保つことができなかった。
【０００６】
そのため、従来のヘッドマウントディスプレイは、外観が明らかに一般的なメガネではないと判断できる形状となっており、装着した際に不自然な見た目になってしまう。例えば、接客業等では、従業員がヘッドマウントディスプレイを装着していると見た目で分かると、お客様は自分が撮影されているのではないかと不安になってしまうという問題があった。
【０００７】
そこで、本発明は、外観を一般的なメガネに見せることができる眼鏡型映像表示装置を提供することを目的とする。
【課題を解決するための手段】
【０００８】
本発明の一態様の眼鏡型映像表示装置は、映像を表示する表示ユニットと、前記表示ユニットとレンズとの位置関係を調整する第１の位置調整部と、前記レンズの前方の空間と前記第１の位置調整部との間に設けられ、前記前方の空間から前記第１の位置調整部への視界を遮る第１の遮蔽部材と、を有する。
【発明の効果】
【０００９】
本発明の眼鏡型映像表示装置によれば、外観を一般的なメガネに見せることができる。
【図面の簡単な説明】
【００１０】
【図１】本実施形態に係わる眼鏡型映像表示装置をユーザが装着した状態を説明するための模式的な図である。
【図２】制御ユニットの詳細な構成を示すブロック図である。
【図３】眼鏡型映像表示装置１を左斜め前方から見た際の構成を示す斜視図である。
【図４】眼鏡型映像表示装置１を右斜め前方から見た際の構成を示す斜視図である。
【図５】眼鏡型映像表示装置１を後方から見た際の構成を示す斜視図である。
【図６】第１の位置調整部の構成を示す図である。
【図７】表示ユニット２９の詳細な構成について説明するための図である。
【図８】第１の実施形態の変形例１に係る位置調整部の構成を説明するための図である。
【図９】第１の実施形態の変形例２に係る位置調整部の構成を説明するための図である。
【図１０】第１の実施形態の変形例３の位置調整部の構成を説明するための図である。
【図１１】第２の実施形態の位置調整部の構成を説明するための図である。
【図１２】ヒンジ部の他の構成を説明するための図である。
【図１３】第３の実施形態に係る眼鏡型映像表示装置の構成を示す図である。
【図１４】第２の位置調整部の構成を説明するための図である。
【図１５】第２の位置調整部の構成の他の例を示す図である。
【図１６】第４の実施形態に係る眼鏡型映像表示装置の構成を示す図である。
【図１７】第５の実施形態の眼鏡型映像表示装置の構成を示す図である。
【図１８】レンズを着脱するための構成の一例を示す図である。
【発明を実施するための形態】
【００１１】
以下、図面を参照して本発明の実施形態を説明する。
【００１２】
（第１の実施形態）
図１は、本実施形態に係わる眼鏡型映像表示装置をユーザが装着した状態を説明するための模式的な図であり、図２は、制御ユニットの詳細な構成を示すブロック図である。
【００１３】
図１に示すように、本実施形態の眼鏡型映像表示装置１は、ユーザ１０が頭部に装着する眼鏡型映像表示装置である。眼鏡型映像表示装置１は、ケーブル２を介して制御ユニット３に接続されている。制御ユニット３は、後述する表示デバイスに映像を表示させる制御を行う。
【００１４】
ユーザ１０は、制御ユニット３を腰等に装着することができる。なお、制御ユニット３を装着する位置は、特に限定されるものではなく、ユーザ１０の前方の位置から見えないように、ユーザ１０は例えば背中側に制御ユニット３を装着してもよい。また、本実施形態では、眼鏡型映像表示装置１と制御ユニット３とがケーブル２により有線接続されているが、例えば、眼鏡型映像表示装置１と制御ユニット３とが無線接続されていてもよい。以下、ユーザ１０が眼鏡型映像表示装置１を装着している状態のときに、ユーザ１０に対して眼鏡型映像表示装置１がある方向を前方とし、反対側を後方とする。
【００１５】
図２に示すように、制御ユニット３は、制御部１１と、無線通信部１２と、バッテリ１３とを備えて構成されている。無線通信部１２は、眼鏡型映像表示装置１を装着したユーザ１０から離れた遠隔地のセンター４に配置されているパーソナルコンピュータ等の情報処理端末５と無線通信することができる。
【００１６】
センター４の操作者は、情報処理端末５を用いて所定の映像信号を制御ユニット３の無線通信部１２に無線により送信する。無線通信部１２は、情報処理端末５から無線で送信された所定の映像信号を受信し、制御部１１に出力する。制御部１１は、無線通信部１２から入力された所定の映像信号を後述するＬＣＤ等の表示デバイス３１に出力することで、ユーザ１０に所定の映像を表示する。
【００１７】
バッテリ１３は、制御ユニット３の各部に電力を供給するとともに、図示しない電力供給線を介して、眼鏡型映像表示装置１に電力を供給する。
【００１８】
次に、眼鏡型映像表示装置１の詳細な構成について説明する。図３は、眼鏡型映像表示装置１を左斜め前方から見た際の構成を示す斜視図であり、図４は、眼鏡型映像表示装置１を右斜め前方から見た際の構成を示す斜視図であり、図５は、眼鏡型映像表示装置１を後方から見た際の構成を示す斜視図である。なお、図３及び図４の眼鏡型映像表示装置１において、ケーブル２の記載は省略しているが、図１及び図５と同様に、図３及び図４の眼鏡型映像表示装置１もケーブル２を備えているものとする。
【００１９】
図３に示すように、眼鏡型映像表示装置１は、フロント２０と、左右のテンプル２１ａ及び２１ｂと、ユーザ１０の耳かけの部分に設けられたカバーであるモダン２２ａ及び２２ｂと、フロント２０の左右に設けられたヨロイ２６ａ及び２６ｂと、ヨロイ２６ａ及び２６ｂとテンプル２１ａ及び２１ｂを連結し、テンプル２１ａ及び２１ｂを開閉する丁番２７ａ及び２７ｂとにより構成されている。
【００２０】
ヨロイ２６ａ及び２６ｂは、フロント２０の後述するフレーム部２４ａ及び２４ｂに固定される。なお、ヨロイ２６ａ及び２６ｂは、フロント２０の後述するリム部２５に固定されていてもよい。テンプル２１ａ及び２１ｂは、眼鏡型映像表示装置１を装着する装着者、すなわち、ユーザ１０の側頭部に当接する当接部を構成する。丁番２７ａ及び２７ｂは、ヨロイ２６ａ及び２６ｂとテンプル２１ａ及び２１ｂとの間に設けられ、ヨロイ２６ａ及び２６ｂとテンプル２１ａ及び２１ｂを連結する連結部を構成する。
【００２１】
また、ヨロイ２６ｂには、図５に示す表示ユニット２９の仰角を変更することができる回動機構２８が設けられている。これにより、表示ユニット２９の仰角を変更することができ、表示ユニット２９に表示される映像の見易さを向上させることができる。なお、図４において、回動機構２８は、外部から見えるように設けられているが、外部から見えないように設けてもよい。例えば、回動機構２８は、ヨロイ２６ｂの外側に配置されているが、ヨロイ２６ｂの内側に配置するようにしてもよい。
【００２２】
フロント２０は、左右のメガネレンズ２３ａ及び２３ｂと、メガネレンズ２３ａ及び２３ｂの周囲に設けられた左右のフレーム部２４ａ及び２４ｂと、メガネレンズ２３ａ及び２３ｂとフレーム部２４ａ及び２４ｂとを接続するリム部２５と有して構成される。リム部２５の左右のリム部の略中央にはブリッジ２５ａが形成されている。ブリッジ２５ａは、フロント２０をユーザ１０の鼻に固定するための鼻あて部２５ｂを含む。なお、以下の説明では、メガネレンズ２３ａ及び２３ｂを単にレンズ２３ａ及び２３ｂと略す。
【００２３】
左右のフレーム部２４ａ及び２４ｂは、後述する第１の位置調整部を介してリム部２５に接続されている。第１の位置調整部により図５に示す表示ユニット２９の位置を変更することができ、表示ユニット２９に表示される映像の見やすさを向上させることができる。
【００２４】
鼻あて部２５ｂは、例えば塑性変形することができる金属材料で形成されており、ユーザ１０の鼻の高さや形状に合わせて、眼鏡型映像表示装置１の高さを変更することができる。これにより、後述する表示ユニット２９の位置を変更することができ、表示ユニット２９に表示される映像の見易さを向上させることができる。
【００２５】
また、図３及び図４に示すように、鼻あて部２５ｂにアタッチメント２５ｃを外付けできるようにしてもよい。アタッチメント２５は、長さ及び厚さ等の形状が異なる複数の種類が存在し、ユーザ１０は、形状が異なる複数の種類のアタッチメント２５ｃから任意のアタッチメント２５ｃを鼻あて部２５ｂに取り付けることができる。これにより、後述する表示ユニット２９の位置を変更することができ、表示ユニット２９に表示される映像の見易さを向上させることができる。
【００２６】
本実施形態では、リム部２５、フレーム部２４ａ及び２４ｂは、レンズ２３ａ及び２３ｂを固定するための固定部材を構成する。特に、リム部２５は、レンズ２３ａ及び２３ｂを固定するための第１固定部材を構成し、フレーム部２４ａ及び２４ｂは、リム部２５を介してレンズ２３ａ及び２３ｂを固定するための第２固定部材を構成する。なお、第２固定部材であるフレーム部２４ａ及び２４ｂは、リム部２５に固定される構成であるが、これに限定されることなく、例えば、ヨロイ２６ａ及び２６ｂ又はテンプル２１ａ及び２１ｂに固定されてリム部２５又はレンズ２３ａ及び２３ｂの周囲に設けられる構成であってもよい。
【００２７】
なお、本実施形態で示しているフレーム部２４ａ及び２４ｂは、レンズ２３ａ及び２３ｂの上側を囲む枠部であるが、例えば、レンズ２３ａ及び２３ｂの下側を囲む枠部であってもよいし、レンズ２３ａ及び２３ｂの周囲全体を囲む枠部であってもよい。
【００２８】
また、図５に示すように、フレーム部２４ｂの裏面側には、嵌合穴が設けられており、この嵌合穴に映像を表示する表示ユニット２９が嵌め込まれて構成されている。表示ユニット２９には、射出部３０が設けられており、表示ユニット２９で表示された映像を射出部３０からユーザ１０の瞳に映し出す。なお、表示ユニット２９の詳細な構成については後述する。
【００２９】
このように、フレーム部２４ｂの裏面側に嵌合穴を設け表示ユニット２９を配置することで、眼鏡型映像表示装置１の前方から表示ユニット２９が見えないようにしている。すなわち、眼鏡型映像表示装置１を装着したユーザ１０の前方にいる人からは表示ユニット２９がフレーム部２４ｂに設けられた嵌合穴に隠れて見えないようにして、眼鏡型映像表示装置１の外観を一般的なメガネに見えるようにしている。
【００３０】
また、フレーム部２４ａの裏面側にも、嵌合穴が設けられており、この嵌合穴に表示ユニット２９と同一の形状のダミー部材３５が嵌め込まれている。このように、フレーム部２４ａ及び２４ｂの裏面側の構造を同一の形状とすることで、眼鏡型映像表示装置１の外観を一般的なメガネに見えるようにしている。
【００３１】
すなわち、表示ユニット２９は、フレーム部２４ｂに形成された嵌合穴に配置され、表示ユニット２９が配置されていないフレーム部２４ａは、表示ユニット２９が配置されているフレーム部２４ｂに形成された嵌合穴と同様の形状をした第２の嵌合穴を有する。そして、第２の嵌合穴には、表示ユニット２９と同様の形状をしたダミー部材３５が配置されている。
【００３２】
なお、本実施形態では、フレーム部２４ｂに表示ユニット２９を設け、フレーム部２４ａにダミー部材３５を設けているが、これに限定されることなく、フレーム部２４ｂにダミー部材３５を設け、フレーム部２４ａに表示ユニット２９を設けるようにしてもよい。また、フレーム部２４ａ及び２４ｂの両方に表示ユニット２９を設けるようにしてもよい。
【００３３】
また、本実施形態では、フレーム部２４ｂに嵌合穴を設け、嵌合穴に表示ユニット２９を配置しているが、嵌合穴を設けることなくフレーム部２４ｂに表示ユニット２９を配置してもよい。この場合、フレーム部２４ｂに表示ユニット２９の周囲を囲うフード部材を設けてもよい。フード部材は、表示ユニット２９の上面や側面を囲うように設けてもよい。その結果、眼鏡型映像表示装置１を装着したユーザ１０の前方にいる人からは表示ユニット２９がフレーム部２４ｂに設けられたフード部材に隠れて見えないようにして、眼鏡型映像表示装置１の外観を一般的なメガネに見えるようにしている。なお、フード部材は、フレーム部２４ａに設けてもよいし、フレーム部２４ａ及び２４ｂの両方に設けてもよい。
【００３４】
次に、表示ユニット２９の位置を調整する構成について説明する。図６は、第１の位置調整部の構成を示す図である。
【００３５】
図６に示すように、眼鏡型映像表示装置１は、フレーム部２４ｂの背面側であって、フレーム部２４ｂとリム部２５との間に第１の位置調整部４０が設けられて構成されている。第１の位置調整部４０は、フレーム部２４ｂの背面に配置されたレール部４１と、リム部２５に配置され、レール部４１の溝に嵌め込まれるフック４２とを有して構成されている。第１の位置調整部４０によりフレーム部２４ｂを矢印Ｙ１方向にスライドさせ、表示ユニット２９の位置を調整することができる。すなわち、レール部４１は、フレーム部２４ｂの背面に配置され、フレーム部２４ｂを重力方向に対して所定の角度傾斜させた方向にスライドさせることができる。
【００３６】
このような構成により、眼鏡型映像表示装置１は、レンズ２３ａ及び２３ｂを固定した状態で表示ユニット２９の位置を調整することができるため、眼鏡型映像表示装置１を装着するユーザ１０に応じて表示ユニット２９を最適な位置に調整することができる。
【００３７】
このように、本実施形態では、第１の位置調整部４０を構成するレール部４１及びフック４２がフレーム部２４ｂの背後の隠れることによって、眼鏡型映像表示装置１の外観を一般的なメガネに見えるようにしている。
【００３８】
すなわち、フレーム部２４ｂは、レンズ２３ａ及び２３ｂの前方の空間と、第１の位置調整部４０との間に設けられ、前方の空間から第１の位置調整部４０への視界を遮る第１の遮蔽部材を構成する。眼鏡型映像表示装置１は、第１の遮蔽部材を有することによって、前方の空間から第１の位置調整部４０が視認できないように構成される。
【００３９】
なお、眼鏡型映像表示装置１は、フレーム部２４ｂとリム部２５との間に第１の位置調整部４０を１つ設ける構成であるが、フレーム部２４ｂとリム部２５との間に第１の位置調整部４０を複数設ける構成であってもよい。また、眼鏡型映像表示装置１は、フレーム部２４ｂとリム部２５との間に第１の位置調整部４０を設ける構成であるが、フレーム部２４ａとリム部２５との間に少なくとも１つ以上の第１の位置調整部４０を設ける構成であってもよい。このような第１の位置調整部４０を複数設ける構成により、眼鏡型映像表示装置１は、レンズ２３ａ及び２３ｂの周辺に設けられたフレーム部２４ａ及び２４ｂを安定して支持することができる。
【００４０】
ここで、表示ユニット２９の詳細な構成について説明する。図７は、表示ユニット２９の詳細な構成について説明するための図である。なお、図７は、眼鏡型映像表示装置１を下方向から見た図である。また、図７の眼鏡型映像表示装置１において、ケーブル２の記載は省略しているが、図１及び図５と同様に、図７の眼鏡型映像表示装置１もケーブル２を備えているものとする。
【００４１】
図７に示すように、表示ユニット２９は、ＬＣＤ等の表示デバイス３１と、導光部３２と、ミラー３３とを内部に有して構成されている。
【００４２】
表示デバイス３１には、図５に点線で示すようにケーブル２が接続されている。このケーブル２は、ヨロイ２６ｂ、丁番２７ｂ、テンプル２１ｂ、モダン２２ｂ内に挿通されており、モダン２２ｂからユーザ１０の背面を通って制御ユニット３に接続されている。ヨロイ２６ｂとテンプル２１ｂには、図示しない開口部が設けられている。この構成により表示デバイス３１は、制御ユニット３の制御部１１と有線接続されており、制御部１１から入力された映像を表示する。
【００４３】
導光部３２は、例えばプリズム等により構成され、表示デバイス３１で表示した映像光をミラー３３に導光する。ミラー３３は、導光部３２で導光された光を射出部３０の方向に鏡面反射させて、射出部３０からユーザ１０の瞳３４に向けて映像光を射出する。ユーザ１０は前記映像を虚像として観察することができる。また、導光部３２、ミラー３３、射出部３０を一体のプリズムで構成することもできる。さらに、表示ユニット２９の出射部３０に視度補正レンズ３６を設け、視度調整を行うことができるようにしてもよい。
【００４４】
次に、眼鏡型映像表示装置１に映像を表示する際の制御について説明する。  
図２に示すように、センター４の操作者が情報処理端末５を用いて所定の映像信号を無線送信すると、制御ユニット３の無線通信部１２が所定の映像信号を受信し、制御部１１に出力する。制御部１１は、所定の映像信号をケーブル２からモダン２２ｂ内に挿通されているケーブル２を介して表示ユニット２９の表示デバイス３１に出力する。
【００４５】
表示デバイス３１は、制御ユニット３から入力された所定の映像信号に応じた映像を表示する。
【００４６】
以上にように、眼鏡型映像表示装置１は、フレーム部２４ｂとリム部２５との間にユーザ１０の瞳３４に対する表示ユニット２９の位置を調整するための第１の位置調整部４０を設け、この第１の位置調整部４０をフレーム部２４ｂの背面側に配置するようにしている。これにより、眼鏡型映像表示装置１の前方から第１の位置調整部４０が見えないようにしている。この結果、眼鏡型映像表示装置１を装着しているユーザ１０の前方にいる人からは、第１の位置調整部４０がフレーム部２４ｂに隠れて見えないため、外観が普通のメガネに見えるようになっている。
【００４７】
よって、本実施形態の眼鏡型映像表示装置によれば、外観を一般的なメガネに見せることができる。
【００４８】
（変形例１）
次に、第１の実施形態の変形例１について説明する。
【００４９】
図８は、第１の実施形態の変形例１に係る位置調整部の構成を説明するための図である。
【００５０】
第１の実施形態の眼鏡型映像表示装置１は、フレーム部２４ｂとリム部２５との間の第１の位置調整部４０を設ける構成である。これに対し、変形例１の眼鏡型映像表示装置１ａは、図８に示すように、フレーム部２４ｂとレンズ２３ｂとの間に第１の位置調整部４０を設ける構成である。
【００５１】
第１の位置調整部４０は、フレーム部２４ｂの背面に配置されたレール部４１と、レンズ２３ｂに配置され、レール部４１に嵌合するフック４２とを有して構成されている。上述した第１の実施形態と同様に、第１の位置調整部４０によりフレーム部２４ｂを矢印Ｙ１方向にスライドさせ、表示ユニット２９の位置を調整することができる。
【００５２】
眼鏡型映像表示装置１ａは、フレーム部２４ｂとレンズ２３ｂとの間に表示ユニット２９の位置を調整するための第１の位置調整部４０を設け、この第１の位置調整部４０をフレーム部２４ｂの背面側に配置するようにしている。これにより、眼鏡型映像表示装置１ａの前方から第１の位置調整部４０が見えないようにしている。すなわち、フレーム部２４ｂは、レンズ２３ａ及び２３ｂの前方の空間と、第１の位置調整部４０との間に設けられ、前方の空間から第１の位置調整部４０への視界を遮る第１の遮蔽部材を構成する。
【００５３】
この結果、眼鏡型映像表示装置１ａは、眼鏡型映像表示装置１ａを装着しているユーザ１０の前方にいる人からは、第１の位置調整部４０がフレーム部２４ｂに隠れて見えないため、眼鏡型映像表示装置１ａは外観が普通のメガネに見えるようになっている。
【００５４】
（変形例２）
次に、第１の実施形態の変形例２について説明する。
【００５５】
図９は、第１の実施形態の変形例２に係る位置調整部の構成を説明するための図である。上述した変形例１は、眼鏡型映像表示装置１ａは、フレーム部２４ｂとレンズ２３ｂとの間に第１の位置調整部４０を設ける構成である。このような構成の場合、眼鏡型映像表示装置１ａは、リム部２５を有しない構成であってもよい。
【００５６】
図９に示すように、変形例２の眼鏡型映像表示装置１ｂは、図８に示すリム部２５を有していない構成である。眼鏡型映像表示装置１ｂは、変形例１の眼鏡型映像表示装置１ａと同様に、フレーム部２４ｂとレンズ２３ｂとの間に第１の位置調整部４０が設けられて構成される。第１の位置調整部４０の構成は、図８に示す第１の位置調整部４０と同様である。すなわち、フレーム部２４ｂは、レンズ２３ａ及び２３ｂの前方の空間と、第１の位置調整部４０との間に設けられ、前方の空間から第１の位置調整部４０への視界を遮る第１の遮蔽部材を構成する。
【００５７】
変形例２の眼鏡型映像表示装置１ｂにおいても、第１の位置調整部４０をフレーム部２４ｂの背面側に配置し、眼鏡型映像表示装置１ｂの前方から第１の位置調整部４０が見えないようにして外観を一般的なメガネに見せるようにしている。
【００５８】
（変形例３）
次に、第１の実施形態の変形例３について説明する。
【００５９】
図１０は、第１の実施形態の変形例３の位置調整部の構成を説明するための図である。
【００６０】
第１の実施形態では、表示ユニット２９は、フレーム部２４ｂの裏面に配置されているが、これに限定されることはない。例えば、リム部２５の幅が広い場合、図１０に示すように、リム部２５の裏面に表示ユニット２９を配置してもよい。なお、リム部２５の裏面に表示ユニット２９を配置する場合、リム部２５の周囲にフレーム部２４ａ及び２４ｂを設けない構成であってよい。
【００６１】
このように、リム部２５の裏面に表示ユニット２９を配置する場合、図１０に示すように、眼鏡型映像表示装置１ｃは、リム部２５とレンズ２３ｂとの間に第１の位置調整部４０が設けられて構成される。すなわち、リム部２５は、レンズ２３ａ及び２３ｂの前方の空間と、第１の位置調整部４０との間に設けられ、前方の空間から第１の位置調整部４０への視界を遮る第１の遮蔽部材を構成する。
【００６２】
第１の位置調整部４０は、リム部２５の裏面に配置されたレール部４１と、レンズ２３ｂに配置され、レール部４１に嵌合するフック４２とを有して構成されている。第１の位置調整部４０によりリム部２５をスライドさせ、表示ユニット２９の位置を調整することができる。
【００６３】
変形例３の眼鏡型映像表示装置１ｃにおいても、第１の位置調整部４０をリム部２５の背面側に配置し、眼鏡型映像表示装置１ｃの前方から第１の位置調整部４０が見えないようにして外観を一般的なメガネに見せるようにしている。
【００６４】
（第２の実施形態）
次に、第２の実施形態について説明する。
【００６５】
図１１は、第２の実施形態の位置調整部の構成を説明するための図である。なお、図１１において、図６と同様の構成については同一の符号を付して説明を省略する。
【００６６】
第２の実施形態の眼鏡型映像表示装置１ｄは、フレーム部２４ｂとリム部２５との間に第１の位置調整部４０ａを備えて構成されている。
【００６７】
第１の位置調整部４０ａは、フレーム部２４ｂの背面に配置されたレール部４１と、レール部４１に嵌合するフック４２と、フレーム部２４ｂの所定方向（θ方向）の角度調整を行うヒンジ部４３とを有して構成されている。フック４２の一方の端部はレール部４１に嵌合し、他方の端部はヒンジ部４３に固定される。これにより、ヒンジ部４３は、レール部４１に連結され、フレーム部２４ｂの角度調整を行うことができる。
【００６８】
ヒンジ部４３は、リム部２５に配置された略四角形状を有し、略中心部に設けられた回動軸４４に対して回動自在に構成されている。ヒンジ部４３を回動軸４４に対して回動させることで、フレーム部２４ｂをθ方向に回動させ、フレーム部２４ｂの背面に設けられた表示ユニット２９のθ方向の角度調整、すなわち、表示ユニット２９の仰角を変更する。
【００６９】
このような構成により、眼鏡型映像表示装置１ｄは、ユーザ１０の瞳３４に対する表示ユニット２９の位置に加え、ユーザ１０の瞳３４に対する表示ユニット２９の角度を調整することができ、ユーザ１０が表示ユニット２９に表示される映像を見易くすることができる。
【００７０】
また、このような構成により、本実施形態の眼鏡型映像表示装置１ｄにおいても、第１の位置調整部４０ａをフレーム部２４ｂの背面側に配置し、眼鏡型映像表示装置１ｄの前方から第１の位置調整部４０ａが見えないようにして外観を一般的なメガネに見せるようにしている。
【００７１】
なお、ヒンジ部４３の構成は、図１１に限定されることなく、他の構成であってもよい。図１２は、ヒンジ部の他の構成を説明するための図である。図１２に示すように、第１の位置調整部４０ｂは、レール部４１と、フック４２と、Ｌ字支点部に回動軸４４を備えるＬ字形状のヒンジ部４３ａと有して構成されている。ヒンジ部４３ａを回動軸４４に対して回動させることで、表示ユニット２９をθ方向に回動させ、表示ユニット２９の仰角を変更することができる。
【００７２】
このような構成により、眼鏡型映像表示装置１ｅは、眼鏡型映像表示装置１ｄと同様に、ユーザ１０の瞳３４に対する表示ユニット２９の位置に加え、ユーザ１０の瞳３４に対する表示ユニット２９の角度を調整することができ、ユーザ１０が表示ユニット２９に表示される映像を見易くすることができる。
【００７３】
また、このような構成により、本実施形態の眼鏡型映像表示装置１ｅにおいても、第１の位置調整部４０ｂをフレーム部２４ｂの背面側に配置し、眼鏡型映像表示装置１ｅの前方から第１の位置調整部４０ｂが見えないようにして外観を一般的なメガネに見せるようにしている。
【００７４】
（第３の実施形態）
次に、第３の実施形態について説明する。
【００７５】
第３の実施形態では、鼻パッドの位置を調整する第２の位置調整部を備えた眼鏡型映像表示装置について説明する。
【００７６】
図１３は、第３の実施形態に係る眼鏡型映像表示装置の構成を示す図であり、図１４は、第２の位置調整部の構成を説明するための図である。
【００７７】
図１３に示すように、眼鏡型映像表示装置１ｆは、一端がリム部２５のブリッジ２５ａに接続されたパッドアーム５０ａ及び５０ｂを備える。パッドアーム５０ａ及び５０ｂの他端は、それぞれ鼻パッド５１ａ及び５１ｂに接続される。鼻パッド５１ａ及び５１ｂは、フロント２０をユーザ１０の鼻に固定するための固定部を構成する。
【００７８】
なお、パッドアーム５０ａ及び５０ｂはそれぞれ同様の構成であり、鼻パッド５１ａ及び５１ｂはそれぞれ同様の構成であるため、以下の説明ではパッドアーム５０ａ及び鼻パッド５１ａの構成について説明する。
【００７９】
図１４に示すように、パッドアーム５０ａの先端側には、Ｖ字形状の複数の溝により形成される溝部５２を備える。
【００８０】
鼻パッド５１ａには、パッドアーム５０ａを受けるアーム受け部５３と、パッドアーム５０ａの溝部５２と嵌合する爪部５４とを備える。なお、アーム受け部５３は、パッドアーム５０ｂの下側に設けられているが、例えば図１４の符号５３ａに示すように、パッドアーム５０ｂに設けられた溝に嵌合するように設けられていてもよい。
【００８１】
第１爪部である爪部５４は、回動軸５５を介して鼻パッド５１ａに取り付けられる。鼻パッド５１ａは、回動軸５５を介して回動自在に構成されている。
【００８２】
パッドアーム５０ａに設けられた溝部５２と鼻パッド５１ａに取り付けられた爪部５４とが噛み合うことで、鼻パッド５１ａは矢印Ｙ２方向の位置を調整することが可能となる。これにより、ユーザ１０の瞳３４とレンズ２３ａ及び２３ｂとの距離を調整することができる。この結果、レンズ２３ａ及び２３ｂの周囲に設けられているフレーム部２４ｂに配置された表示ユニット２９と、ユーザ１０の瞳３４との位置を調整可能となる。
【００８３】
また、鼻パッド５１ａは、回動軸５５を介して可動させることでレンズ２３ａに対する鼻パッド５１ａのθ方向の角度を調整することが可能となる。この結果、レンズ２３ａ及び２３ｂの周囲に設けられているフレーム部２４ｂに配置された表示ユニット２９の角度も調整することができ、ユーザ１０の瞳３４に対する表示ユニット２９の仰角を調整することができる。
【００８４】
このように、パッドアーム５０ａに設けられた溝部５２及び鼻パッド５１ａに取り付けられた爪部５４及び回動軸５５が表示ユニット２９の位置を調整する第２の位置調整部を構成する。
【００８５】
以上の構成により、眼鏡型映像表示装置１ｆは、ユーザ１０の瞳３４と表示ユニット２９との距離及び角度を調整することが可能となり、ユーザは表示ユニット２９を見易い位置に調整することができる。
【００８６】
また、本実施形態では、第２の位置調整部を構成する溝部５２、爪部５４及び回動軸５５がリム部２５（具体的には、リム部２５に形成されているブリッジ２５ａ）の背後の隠れることによって、眼鏡型映像表示装置１ｆの外観を一般的なメガネに見えるようにしている。すなわち、リム部２５は、前方の空間から第２の位置調整部である溝部５２、爪部５４及び回動軸５５への視界を遮る第２の遮蔽部材を構成する。
【００８７】
このような構成により、本実施形態の眼鏡型映像表示装置１ｆにおいても、第２の位置調整部をリム部２５の背面側に配置し、眼鏡型映像表示装置１ｆの前方から第２の位置調整部が見えないようにして外観を一般的なメガネに見せるようにしている。
【００８８】
なお、第２の位置調整部の構成は、図１４の構成に限定されるものではない。図１５は、第２の位置調整部の構成の他の例を示す図である。
【００８９】
図１５に示すように、パッドアーム５０ａには矢印Ｙ２方向（左右方向）に複数の溝により構成された溝部６１が設けられている。また、鼻パッド５１ａには矢印Ｙ３方向（上下方向）に複数の溝により構成された溝部６２が設けられている。そして、眼鏡型映像表示装置１ｆは、パッドアーム５０ａの溝部６１及び鼻パッド５１ａの溝部６２のそれぞれに嵌合する爪部６３を備える。
【００９０】
第２爪部である爪部６３は、中心部にパッドアーム５０ａが挿通する孔が設けられている筒体であり、中心部にパッドアーム５０ａの溝部６１に嵌合する爪と、外周部に鼻パッド５１ａの溝部６２に嵌合する爪とを有して構成されている。眼鏡型映像表示装置１ｆは、爪部６３の中心部に設けられた爪とパッドアーム５０ａの溝部６１とが噛み合うことで矢印Ｙ２方向の鼻パッド５１ａの位置を調整し、爪部６３の外周部に設けられた爪と鼻パッド５１ａの溝部６２とが噛み合うことで矢印Ｙ３方向の鼻パッド５１ａの位置を調整することができる。
【００９１】
このように、パッドアーム５０ａに設けられた溝部６１、鼻パッド５１ａに取り付けられた溝部６２及び爪部６３が表示ユニット２９の位置を調整する第２の位置調整部を構成する。
【００９２】
以上の構成により、眼鏡型映像表示装置１ｆは、ユーザ１０の瞳３４とレンズ２３ａ及び２３ｂとの距離を調整することが可能となり、結果的にユーザ１０の瞳３４とレンズ２３ａ及び２３ｂの周囲に設けられたフレーム部２４ｂに配置された表示ユニット２９との距離を調整することができる。この結果、ユーザ１０は、表示ユニット２９を見易い位置に調整することができる。
【００９３】
また、本実施形態では、第２の位置調整部を構成する溝部６１、溝部６２及び爪部６３がリム部２５（具体的には、リム部２５に形成されているブリッジ２５ａ）の背後の隠れることによって、眼鏡型映像表示装置１ｆの外観を一般的なメガネに見えるようにしている。すなわち、リム部２５は、前方の空間から第２の位置調整部である溝部６１、溝部６２及び爪部６３への視界を遮る第２の遮蔽部材を構成する。
【００９４】
このような構成により、本実施形態の眼鏡型映像表示装置１ｆにおいても、第２の位置調整部をリム部２５の背面側に配置し、眼鏡型映像表示装置１ｆの前方から第２の位置調整部が見えないようにして外観を一般的なメガネに見せるようにしている。
【００９５】
また、図１３に示すように、鼻パッド５１ａ及び５１ｂにそれぞれアタッチメント５６を外付けできるようにしてもよい。アタッチメント５６は、長さ及び厚さ等の形状が異なる複数の種類が存在し、ユーザ１０は、形状が異なる複数の種類のアタッチメント５６から任意のアタッチメント５６を鼻パッド５１ａ及び５１ｂに取り付けることができる。これにより、表示ユニット２９の位置を変更することができ、表示ユニット２９に表示される映像の見易さを向上させることができる。
【００９６】
（第４の実施形態）
次に、第４の実施形態について説明する。
【００９７】
第４の実施形態では、表示ユニット２９をレンズ２３ａ及び２３ｂの長手方向にスライドさせて、位置を調整することができる眼鏡型映像表示装置について説明する。
【００９８】
図１６は、第４の実施形態に係る眼鏡型映像表示装置の構成を示す図である。
【００９９】
図１６に示すように、眼鏡型映像表示装置１ｇは、フレーム部２４ｂ内にフレキシブル基板５７を備えて構成されている。フレキシブル基板５７には、表示デバイス３１が配置される。そして、表示デバイス３１の出射面側には、表示デバイス３１からの映像光を導光してユーザ１０の瞳３４に向けて映像光を射出する表示ユニット２９が配置される。
【０１００】
ユーザ１０が表示ユニット２９を摘み、レンズ２３ａ及び２３ｂの長手方向にスライドさせると、フレキシブル基板５７が伸縮し、表示ユニット２９の位置を変更することができる。
【０１０１】
このように、フレキシブル基板５７は、表示ユニット２９をレンズ２３ａ及び２３ｂの長手方向に対して位置を調整する第３の位置調整部を構成する。また、フレーム部２４ｂは、フレキシブル基板５７が可動する可動部を構成する。さらに、フレーム部２４ｂは、前方の空間からフレキシブル基板５７への視界を遮る第３の遮蔽部材を構成する。
【０１０２】
このような構成により、本実施形態の眼鏡型映像表示装置１ｇにおいても、第３の位置調整部であるフレキシブル基板５７をフレーム部２４内に配置し、第３の位置調整部が見えないようにして外観を一般的なメガネに見せるようにしている。
【０１０３】
また、眼鏡型映像表示装置１ｇは、フレーム部２４ａ内にフレキシブル基板５８を備えて構成されている。ダミー部材３５には、表示デバイス３１が必要ないため、フレキシブル基板５８にダミー部材３５が直接配置されている。
【０１０４】
ユーザ１０がダミー部材３５を摘み、レンズ２３ａ及び２３ｂの長手方向にスライドさせると、フレキシブル基板５８が伸縮し、ダミー部材３５の位置を変更することができる。これにより、フレーム部２４ｂに対する表示ユニット２９の位置と、フレーム部２４ａに対するダミー部材３５の位置とを同じ位置にすることができ、外観を一般的なメガネに見せるようにしている。
【０１０５】
（第５の実施形態）
次に、第５の実施形について説明する。
【０１０６】
第１の実施形態では、フレーム部２４ｂを矢印Ｙ１方向にスライドさせたときに、レンズ２３ｂとフレーム部２４ｂとの間に隙間が生じてしまう。そこで、第５の実施形態では、レンズ２３ｂとフレーム部２４ｂとの間に隙間が生じない眼鏡型映像表示装置について説明する。
【０１０７】
図１７は、第５の実施形態の眼鏡型映像表示装置の構成を示す図である。
【０１０８】
図１７に示すように、眼鏡型映像表示装置１ｈは、フレーム部２４ｂの下部にレンズ２３ｂの曲線と同一の曲線を有するカバー部材７１が設けられている。すなわち、カバー部材７１は、レンズ２３ｂの形状に合わせた形状になっている。これにより、フレーム部２４ｂを矢印Ｙ１方向に移動させた際にも、カバー部材７１の形状がレンズ２３ｂの形状と一致してスライドされることにより、カバー部材７１とレンズ２３ｂとの隙間が生じないように構成されている。
【０１０９】
また、カバー部材７１は、フレーム部２４ｂを一番上まで上げたときに、カバー部材７１がレンズ２３ｂ及びリム部２５に掛かる長さ、すなわち、リム部２５が隠れる長さを有している。この結果、眼鏡型映像表示装置は、フレーム部２４ｂを矢印Ｙ１方向に移動させた際にも、レンズ２３ｂとカバー部材７１との間に隙間が生じなくなり、外観を一般的なメガネに見せることができる。
【０１１０】
なお、上述した各実施形態では、第１固定部材であるリム部２５、第２固定部材であるフレーム部２４ａ及び２４ｂは、レンズ２３ａ及び２３ｂの上側を囲む枠部であるが、例えば、レンズ２３ａ及び２３ｂの下側を囲む枠部であってもよいし、レンズ２３ａ及び２３ｂの周囲全体を囲む枠部であってもよい。その場合、表示ユニット２９は、リム部２５、フレーム部２４ａ及び２４ｂの形状に合わせて、レンズ２３ａ及び２３ｂの周囲の任意の位置に配置してもよい。例えば、表示ユニット２９は、レンズ２３ａ及び２３ｂに対して、右側、左側、下側等に配置してもよい。
【０１１１】
また、レンズ２３ａ及び２３ｂの下側を囲む枠部を設ける場合、レンズ２３ａ及び２３ｂを容易に着脱することができる構成を設けてもよい。
【０１１２】
図１８は、レンズを着脱するための構成の一例を示す図である。
【０１１３】
図１８に示すように、レンズ２３ａ及び２３ｂには、下側を囲む枠部であるフレーム部８１ａ及び８１ｂが設けられている。フレーム部８１ａの両端部にはフック８２ａが設けられている。また、フレーム部８１ｂの両端部にはフック８２ｂが設けられている。
【０１１４】
リム部２５には、フック８２ａが嵌合する位置にフック受け部８３ａが設けられている。また、リム部２５には、フック８２ｂが嵌合する位置にフック受け部８３ｂが設けられている。
【０１１５】
以上の構成により、眼鏡型映像表示装置１ｈは、リム部２５にレンズ２３ａ及び２３ｂを容易に着脱することができる。この結果、眼鏡型映像表示装置１ｈを装着するユーザ１０の視力に合わせて、レンズ２３ａ及び２３ｂの度数を変更することができる。
【０１１６】
本発明は、上述した実施形態及び変形例に限定されるものではなく、本発明の要旨を変えない範囲において、種々の変更、改変等が可能である。
【符号の説明】
【０１１７】
１，１ａ，１ｂ，１ｃ，１ｄ，１ｅ，１ｆ，１ｇ，１ｈ…眼鏡型映像表示装置、２，２ａ〜２ｅ…ケーブル、３…制御ユニット、４…センター、５…情報処理端末、１１…制御部、１２…無線通信部、１３…バッテリ、２０…フロント、２１ａ，２１ｂ…テンプル、２２ａ，２２ｂ…モダン、２３ａ，２３ｂ…レンズ、２４ａ，２４ｂ…フレーム部、２５…リム部、２５ａ…ブリッジ、２５ｂ…鼻あて部、２５ｃ…アタッチメント、２６ａ，２６ｂ…ヨロイ、２７ａ，２７ｂ…丁番、２８…回動機構、２９…表示ユニット、３０…射出部、３１…表示デバイス、３２…導光部、３３…ミラー、３４…瞳、３５…ダミー部材、３６…視度補正レンズ、４０，４０ａ，４０ｂ…第１の位置調整部、４１…レール部、４２…フック、４３，４３ａ…ヒンジ部、４４…回動軸、５０ａ，５０ｂ…パッドアーム、５１ａ，５１ｂ…鼻パッド、５２…溝部、５３…アーム受け部、５４…爪部、５５…回動軸、５６ａ，５６ｂ…アタッチメント、５７，５８…フレキシブル基板、６１，６２…溝部、６３…爪部、７１…カバー部材、８１ａ，８１ｂ…フレーム部、８２ａ，８２ｂ…フック、８３ａ，８３ｂ…フック受け部。
【図１】
2019004265.tif 000003
【図２】
2019004265.tif 000004
【図３】
2019004265.tif 000005
【図４】
2019004265.tif 000006
【図５】
2019004265.tif 000007
【図６】
2019004265.tif 000008
【図７】
2019004265.tif 000009
【図８】
2019004265.tif 000010
【図９】
2019004265.tif 000011
【図１０】
2019004265.tif 000012
【図１１】
2019004265.tif 000013
【図１２】
2019004265.tif 000014
【図１３】
2019004265.tif 000015
【図１４】
2019004265.tif 000016
【図１５】
2019004265.tif 000017
【図１６】
2019004265.tif 000018
【図１７】
2019004265.tif 000019
【図１８】
2019004265.tif 000020